(57)【特許請求の範囲】
【請求項１】
室外側の金属形材製のドア本体枠と室内側の合成樹脂枠とから成り、前記ドア本体枠と前記合成樹脂枠とは、前記ドア本体枠に設けた複数の取付部に、前記合成樹脂枠に形成した複数の支持突片が装着されて一体となっており、更に、前記ドア本体枠に開口部を設けると共に、該開口部の左右にガイド枠を設け、該ガイド枠間に上げ下げ障子を位置させる上げ下げ障子付断熱ドアであって、前記ドア本体枠の室内側において前記ガイド枠と前記支持突片とをビスにより固定することを特徴とする上げ下げ障子付断熱ドア。
【請求項２】
上記取付部の少なくとも１箇所をカシメ部とすると共に、前記ガイド枠と前記カシメ部に装着される支持突片とをビスにより固定することを特徴とする請求項１記載の上げ下げ障子付断熱ドア。
【発明の詳細な説明】
【０００１】
【発明の属する技術分野】
本発明は、勝手口等に取り付ける上げ下げ障子付断熱ドアに関する。
【０００２】
【従来の技術】
勝手口等に取り付けられるドアにおいて、そのドアに開口部を形成し、この開口部に一対の障子を上下にスライド自在に取り付けて、ドアを閉状態のままで通風ができるようにしたものは公知である（例えば、実公平４−３５５１６号公報参照）。
最近、建物の断熱機能の向上に対する要望が高くなっており、上記勝手口等に取り付けるドアについても断熱機能が優れた構造のもの、即ち、断熱ドアが求められている。断熱ドアの枠体として用いられている従来のものとしては、室内外に配置するアルミ形材とアルミ形材の間に断熱材を配置する枠体の例があるが、このような構成のものは幅が大きくなることから、室内外幅、即ち、見込み寸法が大きくなるという不具合があった。
【０００３】
特に、上げ下げ障子付断熱ドアの枠体にあっては、ドア本体枠の枠幅や障子の框幅が大きくなると室内外の見込み幅が大きくなり、さらには、上げ下げ障子を上下動するための伝動部をドア本体枠内に配置する必要があるため、断熱ドア全体の見込み幅が大きくなってしまうという問題があった。
【０００４】
【発明が解決しようとする課題】
本発明は上記不具合に対応するために発明されたものであり、断熱機能が優れた上げ下げ障子付断熱ドアであって、断熱ドアの厚み、即ち見込み幅を小さくでき、且つ、上げ下げ障子の上下伝動部を配置する空間部を広く形成できる上げ下げ障子付断熱ドアを提供することを課題とする。
【０００５】
【課題を解決するための手段】
上記課題を解決するために、
本発明の請求項１記載の上げ下げ障子付断熱ドアは、室外側の金属形材製ドア本体枠と室内側の合成樹脂枠とから成り、ドア本体枠の複数箇所に合成樹脂枠と一体形成した支持突片の取付部を設けると共に、ドア本体枠の開口部の左右にガイド枠を設け、該ガイド枠間に上げ下げ障子を位置させる上げ下げ障子付断熱ドアであって、ドア本体枠の室内側においてガイド枠と上記支持突片とをビスにより固定することで、金属形材と合成樹脂枠との一体性を向上させることを特徴とする。
【０００６】
本発明の請求項２記載の上げ下げ障子付断熱ドアは、請求項１記載の手段において、上記取付部の少なくとも１箇所をカシメ部とすると共に、前記ガイド枠と前記カシメ部に装着される支持突片とをビスにより固定することで、金属形材と合成樹脂枠との一体性の更なる向上と、両部材間の熱的歪みの発生を抑制させることを特徴とする。
【０００７】
【発明の実施の態様】
以下、本実施例の詳細な構成について説明する。
本発明の実施例に係る断熱ドアは、一戸建住宅やマンションの勝手口のドアとして取り付ける。図２に示すように、躯体１の壁面に形成した開口部にはヒンジ２、２を介して片開きの断熱ドア３を装着する。該断熱ドア３には開閉用の把手２４を設ける。
断熱ドア３を装着するための開口部の周壁には、アルミ形材からなる躯体枠１０を取り付ける。躯体枠１０は、図２に示すように、躯体右枠１０ａ、躯体左枠１０ｂ、躯体上枠１０ｃ、及び躯体下枠１０ｄ（総称して表現するときは躯体枠１０という）から成り、それぞれビス等により躯体１壁に固定する。躯体枠１０を構成する各枠１０ａ〜１０ｄは、それぞれ種々の形状のアルミ形材で形成されている。
【０００８】
躯体枠１０の室内側面には、後述の合成樹脂枠（以下、「合成樹脂枠」は単に「樹脂枠」と略称する）を取り付けするため樹脂枠取付部（単に「取付部」と略称する）が形成してある。例えば、図１に示すように、躯体右枠１０ａに形成した取付部１９ａ、１９ｂは、樹脂枠６０を取り付けするためのカシメ部１９ａと、係合部１９ｂとして形成してある。図３、４に示すように、躯体上下枠１０ｃ、１０ｄにもカシメ部１９ａと係合部１９ｂとが設けてある。
【０００９】
躯体枠１０に対して、ドア本体枠２０をヒンジ２、２を介して開閉自在に軸着する。ドア本体枠２０は、図１に示すドア右枠２０ａ及びドア左枠２０ｂ、並びに図３、４に示すドア上枠２０ｃ及びドア下枠２０ｄとから構成され、押出成形されたアルミ形材の各種形状のものが使用されている。（左右上下枠２０ａ〜２０ｄを総称して表現するときは「ドア本体枠２０」という。）
ドア本体枠２０の中央開口部は上げ下げ障子の収納部２１を形成している。図１に示すように、ドア左右枠２０ｂ、２０ａの内壁、即ち、収納部２１両側にはドア本体枠２０と一体のガイド枠２２、２２が配置されている。障子右框４０ａ及び障子左框４０ａには、突片４０ｅがタイト材２６の取付部として設けられている。更に、ドア本体枠２０の室外側には、室外側板５０が固定してあり、この室外側板５０内には網戸（図外）が設けてある。
【００１０】
ドア本体枠２０及びガイド枠２２には後述の樹脂枠６１を取り付けするための取付部２９ａ、２９ｂが形成されている。即ち、図１、３、４に示すように、ドア本体枠２０の室内側面にはガイド枠２２の側面に至るまで、カシメ部２９ａ及び係合部２９ｂとが形成されている。
係合部２９ｂの構造は、特に図５（Ａ）、（Ｂ）に示すように、ドア本体枠２０側のガイド枠２２からＬ字型に突出する形で設けられており、この係合部２９ｂに後述の樹脂枠６１側の支持突片６１ａが係合している。この係合部２９ｂの形状は図５（Ａ）（Ｂ）記載のものに限定されるものではない。
【００１１】
また、ドア左枠２０ｂには、室内外にそれぞれ把手２４、２４とロック部材２５とが取り付けられていると共に、ドア本体枠２０の障子３０側には気密用のタイト材２６が付設されている。
ドア本体枠２０の収納部２１には、内障子３０ａ及び外障子３０ｂ（総称するときは、障子３０と表現する）とが上下動自在及び任意位置での停止自在に配置される。各障子３０ａ、３０ｂは、それぞれ個別にガイド枠２２、２２に案内される。また、障子３０は、障子板３１及び障子框４０とからなる。障子板３１は、本実施例では総て２枚障子を用いる。
【００１２】
障子框４０は、図１、３、４に示すようにアルミ形材からなる障子右框４０ａ、障子左框４０ｂ、障子上框４０ｃ、及び障子下框４０ｄからなる（各框を総称して表現するときは「障子框４０」と表現する）。そして、障子框４０の室内側面には、後述の樹脂枠６２を取付するためのカシメ部４９ａ及び係合部４９ｂとからなる取付部が形成される。
【００１３】
障子框４０の内周面には、図１、３、４に示すように後述の断面Ｌ型の押縁６２ｃを保持させるための係合部４６、４７がドア本体枠２０及び合成樹脂枠６１に一定距離離して２箇所形成してある。なお、内障子３０ａの障子上框４０ｃの室内側には、機械的強度の高い合成樹脂製の上下動ハンドル４８が付設されている。該上下動ハンドル４８は障子３０の開閉操作に用いられる。
【００１４】
次に、樹脂枠６０〜６２の取付について説明する。
前述したように躯体枠１０、ドア本体枠２０、及び障子框４０の室内側面に樹脂枠６０〜６２を装着する。換言すれば、本実施例に係る躯体枠１０、ドア本体枠２０、及び障子框４０は、室外側のアルミ形材と室内側の樹脂枠６０〜６２との組み合わせから構成される。
まず、躯体枠１０の室内側面に取り付ける樹脂枠６０は、図１、３、４に示すように室内側への突出部６０ｂ及び取付部１９ａへの支持突片６０ａが形成されており、全体として巾厚で立体的に形成する。この樹脂枠６０は、ドア本体枠２０の室内側周囲に位置するために、化粧枠を兼ねることになり意匠的に優れた素材、形状及び色彩のものが選ばれる。
【００１５】
次に、ドア本体枠２０の取付部２９ａ、２９ｂに取り付ける樹脂枠６１は、図１、３〜５に示すように、室内側の平面部６１ｂ、及び支持突片６１ａで形成されており、全体として巾薄で板状に形成する。
この樹脂枠６１には、支持突片６０ａと共に、ドア本体枠２０とは一定の断熱用の空間部を形成させるための足部６１ｃ・・を設ける。この樹脂枠６１は、ドア本体枠２０の室内側面の形状により適宜設計すればよいが、実施例では部分的に室内外方向において巾厚に形成されている。また、樹脂枠６２の平面部６２ｂに対向する樹脂枠６１の端部には、気密性向上のため軟質突片６１ｅが設けられている。
【００１６】
前記支持突片６１ａの構成は、基本的には躯体枠１０用の樹脂枠６０の支持突片６０ａの構成と同様である。この樹脂枠６１においても、断熱機能の向上を最大の課題としつつも、その形状、素材、色彩等を適宜選択することにより、意匠上優れたものとすることができる。
【００１７】
本実施例の最大の特徴は、図１に示すように、ドア本体枠２０の開口部の左右に設けたガイド枠２２と支持突片６１ａとをビス７０により固定することにある。したがって、支持突片６１ａが、ビス７０を介してガイド枠２２により強固に支持されて折曲りや移動が阻止されることになる。
その結果、支持突片６１ａの支持力が増大するので、支持突片６１ａを長く突出させることができ、合成樹脂枠６１の室内外方向（面外方向）の幅を大きく形成することができてドア本体枠２０における障子の開閉伝動部或いは開閉駆動部の収納スペースを大きく確保でき、また、ドア本体枠２０と合成樹脂枠６１との一体性を高めることができる。
併せて、取付部の他の箇所を、特に図５に示すように、ある程度相対移動が可能な係合部２９ｂとすることにより、金属枠（ドア本体枠２０）と樹脂枠６１との材質相違に基づく両枠２０、６１間の熱的歪みの発生を抑制することが可能となる。
【００１８】
上記実施例では、ガイド枠２２と共にビス７０に螺合（固定）させる支持突片６１ａは１本のみとしたが、複数の支持突片６１ａと串刺し状に螺合させて固定してもよく、また、カシメ部２９ａに取り付けされる支持突片６１ａではなく、係合部２９ｂに取り付けられる支持突片６１ａでもよい。
【００１９】
次に、障子框４０の取付部４９ａ、４９ｂに取り付ける樹脂枠６２は、図１、３、４に示すように、室内側の平面部６２ｂ、障子框４０への支持突片６２ａで形成されている。
この樹脂枠６２には、別体として、障子板３１をその周部において挟持する断面Ｌ型の押縁６２ｃが配置される。該押縁６２ｃは、障子框４０と障子板３１との間に配置され、その室内側端面には障子板３１内周面に延出する延出部６２ｄが形成されている。また、延出部６２ｄの端部は突片６２ｅとして形成され、軟質舌片６２ｆを介して障子板３１に当接している。
【００２０】
そして、この延出部６２ｄ、樹脂枠６２、及びドア本体枠２０用の樹脂枠６１の各室内側面は面一位置とする。したがって、ドア本体枠２０の室内面は各樹脂枠６１、６２、及び押縁６２ｃにより面一形状となる。
上記構成により、室外側に位置するアルミ形材から伝えられる熱気や冷気は、室内側の樹脂枠６０〜６２により断熱されるために室内に伝わることはない。また、室内側が樹脂枠６０〜６２で統一されるため、樹脂枠６０〜６２の素材、形状、色彩の選択が容易となり、意匠上の選択の余地が高まる。
【００２１】
更に、各枠１０、２０、４０への樹脂枠６０〜６２の取付において、その支持突片６０ａ、６１ａ、６２ａを突出部６０ｂ、平面部６１ｂ、６２ｂより室外側に位置させ、カシメ手段と圧着係合手段との２つの取付手段の組合わせを用いたことにより、取り付けが確実になる。
また、各枠１０、２０、４０と樹脂枠６０〜６２との材質相違に伴う熱膨張率の差によって各枠間に若干の長さ等の歪みが生じても、圧着係合手段を用いた部分の僅かなズレ又は弾性変形によりその歪みを吸収できるので、枠、框に反り・湾曲等の歪みの発生が少ない。
【００２２】
また、歪みの可能性が少ない分だけ、枠、框を精密に設計でき、機密性・断熱性を向上させることが出来る。その結果、アルミ形材の枠１０、２０、４０と樹脂枠６０〜６２との合計寸法（巾寸法）を小さくすることができ、かつ、外見上体裁がよい形状となる。
【００２３】
また、各樹脂枠６０〜６２の室内側面を面一形状とすると共に、障子の収納部２１をドア本体枠２０室外側に偏位させたことにより、室外からみれば、重量感にあふれた構造とすることができると共に、室内側からは、出っ張りがないことから、室内空間を広くとることができ、かつ断熱ドア周辺部の壁や窓と面一形状とし易いから、意匠的にも優れた構造とすることができる。
【００２４】
また、延出部６２ｄを形成したことにより、室内側からはアルミ形材を見ることはなく樹脂枠６０しか見えないことから、意匠上の効果も優れている。
なお、上記実施例では、係合部１９ｂ，２９ｂ、４９ｂは、押圧による係合手段を採用したが、その他、嵌合、掛け止め等の他の手段を採用してもよく、アルミ枠と樹脂枠６０〜６２との間の係合部で若干の相互移動（ズレ）が可能な構成であればよい。
【００２５】
また、本発明の構成要件である合成樹脂枠６０〜６２の素材としては、断熱性、熱変形性、機械的強度、硬度、加工性、意匠性、価格、安全性等種々の観点から選択されるが、主として硬質塩ビ樹脂の押出成型品等が採用される。
【００２６】
また、本発明は、ドア本体枠２０の室内側において前記ガイド枠２２と前記支持突片６１ａとをビス７０により固定することを基本とするが、ドア本体枠２０側と合成樹脂枠６０〜６２側間でその取付力を強化させる必要がある場合は、適宜両枠２０、６０〜６２間をビス等により固定してもよい。
【００２７】
【発明の効果】
本発明は、上記構成により下記の効果を奏する。
１．請求項１記載の発明によれば、室外側の金属形材製のドア本体枠と室内側の合成樹脂枠とから成り、前記ドア本体枠と前記合成樹脂枠とは、前記ドア本体枠に設けた複数の取付部に、前記合成樹脂枠に形成した複数の支持突片が装着されて一体となっており、更に、前記ドア本体枠に開口部を設けると共に、該開口部の左右にガイド枠を設け、該ガイド枠間に上げ下げ障子を位置させる上げ下げ障子付断熱ドアであって、前記ドア本体枠の室内側において前記ガイド枠と前記支持突片とをビスにより固定することから、支持突片がビスを介してガイド枠により強固に支持されて折曲りや移動が阻止されることになる。
その結果、支持突片を長く突出させることで、合成樹脂枠の室内外方向（面外方向）の厚みを大きく形成することができ、上げ下げ障子の開閉伝動部又は開閉駆動部の収納スペースを大きく確保できる。
【００２８】
２．請求項２記載の発明によれば、請求項１記載の発明の効果に加えて、上記取付部の少なくとも１箇所をカシメ部とすると共に、前記ガイド枠と前記カシメ枠に装着される支持突片とをビスにより固定することにより、簡単な構成でドア本体枠と合成樹脂枠との一体性を更に高めることができる。
併せて、取付部の他の箇所を相対移動が可能な係合部とすることにより、金属枠（ドア本体枠）と樹脂枠との材質相違に基づく両枠間の熱的歪みの発生を抑制することが可能となる。
【図面の簡単な説明】
【図１】本発明の実施例に係る断熱ドアの要部の水平断面図（図２のＡ−Ａ断面図）。
【図２】同断熱ドアの正面図。
【図３】図２のＢ−Ｂ断面の断面図。
【図４】図２のＣ−Ｃ断面の断面図。
【図５】（Ａ）（Ｂ）共、係合部（取付部）の説明図。
【符号の説明】
１・・・躯体
２・・・ヒンジ
３・・・断熱ドア
１０・・躯体枠
１０ａ・・躯体右枠
１０ｂ・・躯体左枠
１０ｃ・・躯体上枠
１０ｄ・・躯体下枠
１９ａ・・カシメ部（取付部）
１９ｂ・・係合部（取付部）
２０・・ドア本体枠
２０ａ・・ドア右枠
２０ｂ・・ドア左枠
２０ｃ・・ドア上枠
２０ｄ・・ドア下枠
２１・・収納部
２２・・ガイド枠
２４・・把手
２５・・ロック部材
２６・・タイト材
２９ａ・・カシメ部（取付部）
２９ｂ・・係合部（取付部）
３０・・（上げ下げ）障子
３０ａ・・内障子
３０ｂ・・外障子
３１・・障子板
４０・・障子框
４０ａ・・障子右框
４０ｂ・・障子左框
４０ｃ・・障子上框
４０ｄ・・障子下框
４０ｅ・・突片
４６、４７・・係合部
４８・・・上下動ハンドル
４９ａ・・カシメ部（取付部）
４９ｂ・・係合部（取付部）
５０・・室外側板
６０・・（合成）樹脂枠（躯体枠１０用）
６０ａ・・支持突片
６０ｂ・・突出部
６１・・（合成）樹脂枠（ドア本体枠２０用）
６１ａ・・支持突片
６１ｂ・・平面部
６１ｃ・・足部
６１ｄ・・当接片
６１ｅ・・軟質突片
６２・・（合成）樹脂枠（障子框４０用）
６２ａ・・支持突片
６２ｂ・・平面部
６２ｃ・・押縁
６２ｄ・・延出部
６２ｅ・・突片
６２ｆ・・軟質舌片
７０・・・ビス
【図１】
0003603295.tif 000002
【図２】
0003603295.tif 000003
【図３】
0003603295.tif 000004
【図４】
0003603295.tif 000005
【図５】
0003603295.tif 000006